(57)【要約】【課題】  集水器に接続された二つの軒樋のうち一方の軒樋の案内路内が満水状態になっていない場合でも、サイフォン作用を最大限に発揮させることができる雨樋構造を提供する。【解決手段】  集水器１７内に設けられた集水路３６内に、一端４１ａが一方の軒樋１４の案内路２４内に開放し且つ他端４１ｂが集水器１７に設けられた接続口３１内に開放する第一の管路部４１と一端４２ａが他方の軒樋１４の案内路２４内に開放し且つ他端４２ｂが接続口３１内に開放する第二の管路部４２とに集水路３６内を区画するための仕切り部材３８を設ける。【選択図】  図３
2009062681.tif 000002
【特許請求の範囲】
【請求項１】
底部が上下２枚の底板により仕切られて二重底構造とされた軒樋と、この軒樋間に配置され、両端部に前記両軒樋の端部が接続される接続端部を有し、且つ竪樋が接続される接続口を有する集水器とを備え、
前記２枚の底板のうち上側に位置する底板には、前記軒樋内の雨水を流入させるための流入孔が形成されており、前記各軒樋の両底板間には、それぞれ前記流入孔を経て流入する雨水を前記集水器に案内する案内路が各軒樋の長手方向に伸びるように設けられており、前記集水器内には、両端が前記両軒樋の案内路に接続され、前記接続口で前記竪樋内に開放する集水路が設けられた雨樋構造であって、
前記集水路内には、一端が一方の前記軒樋の案内路内に開放し、且つ他端が前記接続口内に開放する第一の管路部と、一端が他方の前記軒樋の前記案内路内に開放し、且つ他端が前記接続口内に開放する第二の管路部とに前記集水路内を区画する仕切り部材が設けられていることを特徴とする雨樋構造。
【請求項２】
接続口内に開放する第一及び第二の管路部のそれぞれの一方の開口の大きさは、各案内路内に開放する第一及び第二の各管路部のそれぞれの他方の開口の大きさよりも小さくなるように設定されていることを特徴とする請求項１に記載の雨樋構造。
【発明の詳細な説明】
【技術分野】
【０００１】
本発明は、住宅のような建物に設けられるサイフォン式の雨樋構造に関する。
【背景技術】
【０００２】
一般的に、例えば住宅の軒先には、屋根から流れ落ちる雨水を受けるべく上方へ開放する軒樋が設けられている。各軒樋は、それぞれ集水器を介して互いに接続されている。集水器の底部には、竪樋が接続される接続口が形成されている。軒樋内に流入した雨水は、集水器に集められた後、集水器内から接続口を経て竪樋内に流入し、該竪樋内を通って地中に埋設された排水管に流入する。
【０００３】
従来、排水管への単位時間当たりの排水量を増加させるために、所謂サイフォンの原理を利用した雨樋構造が知られている（例えば、特許文献１参照。）。
【０００４】
この雨樋構造では、各軒樋内に、該各軒樋内をその横断面で見て上下に区画する隔壁が設けられており、隔壁には、各軒樋内の上部空間内に受けた雨水を下部空間内に流入させるための流入孔が形成されている。これにより、各軒樋の底部には、各軒樋の長手方向に伸び、屋根から各軒樋の上部空間内に流入した雨水を集水器に案内する案内路が形成されている。また、集水器内には、各軒樋内と同様に隔壁が設けられており、これにより、集水器の底部には、両端が各軒樋の案内路に開放し且つ接続口で竪樋内に開放する集水路が形成されている。
【０００５】
この雨樋構造によれば、屋根から各軒樋の前記上部空間内に流入する雨水の量が各軒樋の案内路及び集水器の集水路の単位時間当たりの最大流量よりも少ない場合、屋根から各軒樋の前記上部空間内に流入した雨水は、該各上部空間内から流入孔を経て各案内路内に流入し、該各案内路及び集水路内を通って該集水路内から接続口を経て竪樋内に流入し、該竪樋内を自然落下して排水管に排出される。
【０００６】
他方、屋根から各軒樋の前記上部空間内に流入する雨水の量が各案内路及び集水路の単位時間当たりの最大流量よりも多い場合、各案内路及び集水路内がそれぞれ満水状態におかれる。これにより、各案内路及び集水路内がそれぞれ真空状態におかれるので、各案内路及び集水路内の雨水が重力により接続口を経て竪樋内に引き込まれたとき、各軒樋の前記上部空間内の雨水が各案内路及び集水路内の雨水に連行されて各案内路及び集水路内に引っ張られる。このようなサイフォン現象が生じることにより、各軒樋の前記上部空間内の雨水を、自然落下するときの流速よりも速い流速で竪樋内を流下させることができるので、雨水を自然落下させることにより排水管に排出する場合に比べて、単位時間当たりの排水量を増加させることができる。
【特許文献１】特開２００４−２５１０７５号公報
【発明の開示】
【発明が解決しようとする課題】
【０００７】
しかしながら、集水器内に設けられた集水路が各軒樋のそれぞれの案内路に連通していることから、一方の案内路が満水状態であって他方の案内路が満水状態でない場合、前記一方の案内路内の雨水が集水路内の領域のうち接続口よりも前記一方の案内路側の領域内を経て接続口から竪樋内に流出するとき、前記他方の案内路内の空気が前記一方の案内路側の領域内に入ってしまう。
【０００８】
このため、前記一方の案内路内及び前記一方の案内路側の領域内を真空に保持した状態で前記一方の案内路内の雨水を竪樋内に流出させることができず、前記一方の案内路内の雨水から軒樋の前記上部空間内の雨水に作用する引張り力が低減してしまう。
【０００９】
従って、両案内路内及び集水路内の全領域が満水状態にならない限り、前記したサイフォン作用を最大限に発揮させることができない。
【００１０】
そこで、本発明の目的は、集水器に接続された二つの軒樋のうち一方の軒樋の案内路内が満水状態になっていない場合でも、サイフォン作用を最大限に発揮させることができる雨樋構造を提供することにある。
【課題を解決するための手段】
【００１１】
上記課題を解決するために、請求項１に記載の発明は、底部が上下２枚の底板により仕切られて二重底構造とされた軒樋と、この軒樋間に配置され、両端部に前記両軒樋の端部が接続される接続端部を有し、且つ竪樋が接続される接続口を有する集水器とを備え、前記２枚の底板のうち上側に位置する底板には、前記軒樋内の雨水を流入させるための流入孔が形成されており、前記各軒樋の両底板間には、それぞれ前記流入孔を経て流入する雨水を前記集水器に案内する案内路が各軒樋の長手方向に伸びるように設けられており、前記集水器内には、両端が前記両軒樋の案内路に接続され、前記接続口で前記竪樋内に開放する集水路が設けられた雨樋構造であって、前記集水路内には、一端が一方の前記軒樋の案内路内に開放し、且つ他端が前記接続口内に開放する第一の管路部と、一端が他方の前記軒樋の前記案内路内に開放し、且つ他端が前記接続口内に開放する第二の管路部とに前記集水路内を区画する仕切り部材が設けられていることを特徴とする。
【００１２】
請求項２に記載の発明は、請求項１に記載の発明において、接続口内に開放する第一及び第二の管路部のそれぞれの一方の開口の大きさは、各案内路内に開放する第一及び第二の各管路部のそれぞれの他方の開口の大きさよりも小さくなるように設定されていることを特徴とする。
【発明の効果】
【００１３】
請求項１に記載の発明によれば、集水器内に設けられた集水路内は、一端が集水器に接続された各軒樋のうち一方の軒樋の案内路内に開放し且つ他端が集水器に設けられた接続口内に開放する第一の管路部と、一端が他方の軒樋の案内路内に開放し且つ他端が接続口内に開放する第二の管路部とに、仕切り部材によって区画されていることから、第一の管路部は前記他方の軒樋の案内路に連通することなく前記一方の軒樋の案内路内に連通しており、第二の管路部は前記一方の軒樋の案内路に連通することなく前記他方の案内路内に連通しており、各案内路内の雨水は、それぞれに連通する各管路部内に流入した後、該各管路部内から接続口を経て竪樋内に流入する。
【００１４】
これにより、集水路内での第一及び第二の各管路部間の通気が仕切り部材により妨げられるので、一方の案内路が満水状態であって他方の案内路が満水状態でない場合でも、前記一方の案内路内の雨水が第一の管路部内を経て接続口から竪樋内に流出するとき、前記他方の案内路内の空気が第一の管路部内に入ることが防止される。
【００１５】
従って、前記一方の案内路内及び第一の管路部内を真空に保持した状態で前記一方の案内路内の雨水を竪樋内に流出させることができるので、従来のような前記一方の案内路内の雨水から軒樋内の雨水への引張り力の低減を招くことなく、サイフォン作用を最大限に発揮させることができる。
【００１６】
請求項２に記載の発明によれば、接続口内に開放する第一及び第二の各管路部のそれぞれの一方の開口の大きさは、各案内路内に開放する第一及び第二の各管路部のそれぞれの他方の開口の大きさよりも小さくなるように設定されていることから、第一及び第二の各管路部内から接続口を経て竪樋内に流出する雨水の単位時間当たりの最大流出量は、案内路から第一及び第二の各管路部内に流入する雨水の単位時間当たりの最大流入量よりも少ない。
【００１７】
これにより、各案内路内から第一及び第二の各管路部内への雨水の単位時間当たりの流入量が第一及び第二の各管路部内からの最大流出量を超えた場合、各案内路内から第一及び第二の各管路部内に流入した雨水の大部分は、各管路部内から接続口を経て竪樋内に流出することなく各管路部内に溜まる。すなわち、接続口内に開放する第一及び第二の各管路部の前記一方の開口がそれぞれ雨水により封鎖される。
【００１８】
これにより、各軒樋内から流入孔を経て各案内路内に流入する雨水の流入量が各案内路及び各管路部の単位時間当たりの最大流量よりも少ない場合でも、その流入量が第一及び第二の各管路部内からの最大流出量よりも多い場合には、第一及び第二の各管路部内と各案内路内とにそれぞれ雨水を溜めることにより、各管路部及び各案内路をそれぞれ容易に満水状態にすることができる。
【００１９】
従って、雨量が少ない場合でも、サイフォン現象を生じさせることができるので、雨量が少ない場合での排水効率を確実に向上させることができる。
【発明を実施するための最良の形態】
【００２０】
本発明を図示の実施例に沿って説明する。
【実施例】
【００２１】
本発明に係る雨樋構造１０は、図１及び図２に示すように、住宅１１の軒先１２に設けられ、屋根１３から流れ落ちる雨水を受ける二つの軒樋１４と、雨水を地中に埋設された排水管１５に案内するための竪樋１６と、該竪樋１６及び各軒樋１４を互いに接続する集水器１７とを備える。
【００２２】
各軒樋１４は、図２に示すように、それぞれ例えばポリ塩化ビニルのような合成樹脂で成形されており、軒先１２（図１参照。）に沿って伸びる底壁１８と、該底壁の住宅１１側に位置する縁部及び該縁部と反対側に位置する縁部からそれぞれ上方へ立ち上がる一対の側壁１９とを有する。
【００２３】
各軒樋１４内には、該各軒樋１４内をその横断面で見て上下に区画するための板状の隔壁２０が設けられている。各隔壁２０は、それぞれ各軒樋１４の長手方向に沿って伸び且つ底壁１８にその上方へ間隔をおいて各軒樋１４内に配置されており、それぞれの幅方向で互いに対向する各縁部２０ａで各側壁１９に固定されている。各軒樋１４内への隔壁２０の配置により、各軒樋１４の底部は、それぞれ各側壁１９の下部、隔壁２０及び底壁１８によって二重底構造となる。また、各軒樋１４内への隔壁２０の配置により、各軒樋１４内には、それぞれ上方へ開放する上部空間２１と隔壁２０及び底壁１８により挟まれた下部空間２２とが形成されている。各隔壁２０の端部２０ｂには、屋根１３から上部空間２１内に流入した雨水を下部空間２２内に流入させる流入孔２３が形成されている。流入孔２３を経て下部空間２２内に流入した雨水は、後述するように、下部空間２２内を通って集水器１７に案内される。すなわち、各軒樋１４の下部空間２２は、それぞれ各流入孔２３を経て流入した雨水を集水器１７に案内する案内路２４であり、各隔壁２０はそれぞれ各案内路２４を規定する周壁を構成する。
【００２４】
各軒樋１４は、それぞれの一方の端部１４ａがそれらの間に所定の間隔をおいて互いに対向して配置されている。
【００２５】
集水器１７は、軒樋１４と同様の材料からなり、軒先１２に沿って伸びる底壁２５と、該底壁の住宅１１側に位置する縁部及び該縁部と反対側の縁部からそれぞれ上方へ立ち上がる一対の側壁２６とを有する。
【００２６】
集水器１７は、その長手方向が各軒樋１４の長手方向に沿うように、各軒樋１４の互いに突き合った端部１４ａ間に配置されている。また、集水器１７は、その長手方向で互いに向かい合う各端部に、軒樋１４の端部１４ａが接続される接続端部２７を有する。各軒樋１４は、図示の例では、それぞれの端部１４ａが集水器１７の各接続端部２７に挿入され、更に、各軒樋１４の一方の側壁１９の上端部１９ａに形成された係合溝２８が集水器１７の一方の側壁２６の上端部２６ａに形成された係合部２９に係合され且つ各軒樋１４の他方の側壁１９の上端部１９ａに形成された係止部３０が集水器１７の他方の側壁２６の上端部２６ａに係止することにより、集水器１７に接続されている。
【００２７】
底壁２５の中央部には、図２及び図３に示すように、竪樋１６の上端部１６ａが接続される接続口３１が形成されている。接続口３１は、図示の例では、円形をなしている。接続口３１の縁部３１ａには、両端が開放した円筒部３２が形成されている。円筒部３２は、接続口３１を取り巻き且つ縁部３１ａから底壁２５の下方へ伸びるように配置されている。竪樋１６は、その上端部１６ａが円筒部３２に嵌合することにより該円筒部を介して接続口３１に接続される。
【００２８】
集水器１７内には、該集水器内をその横断面で見て上下に区画するための板状の隔壁３３が設けられている。
【００２９】
隔壁３３は、集水器１７の長手方向に沿って伸び且つ底壁２５にその上方へ間隔をおいて集水器１７内に配置されており、その幅方向で互いに対向する各縁部３３ａで各側壁２６に固定されている。集水器１７内への隔壁３３の配置により、集水器１７内には、上方へ開放する上部空間３４と隔壁３３及び底壁２５により挟まれた下部空間３５とが形成されている。
【００３０】
隔壁３３の両端部３３ｃの端面３３ｂは、図３に示すように、集水器１７の各接続端部２７への各軒樋１４の接続状態で、該各軒樋の隔壁２０の端部２０ｂの端面２０ｃに当接する。これにより、集水器１７の各接続端部２７への各軒樋１４の接続状態では、集水器１７の上部空間３４は各軒樋１４の上部空間２１に連通し、集水器１７の下部空間３５は各軒樋１４の案内路２４に連通する。すなわち、集水器１７の下部空間３５は、集水器１７の長手方向に伸び、各軒樋１４の案内路２４により案内された雨水が集められる集水路３６を構成する。集水路３６は、接続口３１で円筒部３２内に開放し、これにより、接続口３１及び円筒部３２を介して竪樋１６内に開放する。
【００３１】
また、隔壁３３の両端部３３ｃには、それぞれ該各端部から該各端部に対向する軒樋１４の隔壁２０の端部２０ｂ上に突出し、底壁２５の端部２５ａとの間で軒樋１４の隔壁２０及び底壁１８を挟み込むための挟持部３７が形成されている。各軒樋１４は、その隔壁２０及び側壁１９が集水器１７の挟持部３７及び底壁２５の端部２５ａ間に挟みこまれることにより、その上下方向に沿った移動が拘束されるので、集水器１７に対する各軒樋１４の相対位置のずれが防止される。
【００３２】
また、集水器１７には、集水路３６を二つの管路部に区画する仕切り部材３８が設けられている。
【００３３】
仕切り部材３８は、図示の例では、板状をなしており、隔壁３３の中央部すなわち底壁２５に形成された接続口３１に対向する部分から該接続口内に向けて集水路３６を閉鎖するように該集水路を横切って伸びる。仕切り部材３８は、集水器１７の一方の接続端部２７側に位置する半円状の第一の半円開口３９と他方の接続端部２７側に位置する半円状の第二の半円開口４０とに、接続口３１を分割している。これにより、集水路３６内には、一端４１ａが一方の軒樋１４の案内路２４内に開放し且つ他端４１ｂが第一の半円開口３９内に開放する第一の管路部４１と、一端４２ａが他方の軒樋１４の案内路２４内に開放し且つ他端４２ｂが第二の半円開口４０内に開放する第二の管路部４２とが形成されている。
【００３４】
更に、仕切り部材３８は、図示の例では、接続口３１内を経て円筒部３２内をその軸線に沿って伸びる。仕切り部材３８は、図３及び図４に示すように、第一の半円開口３９を経て第一の管路部４１内に連通する第一の半円筒部４３と第二の半円開口４０を経て第二の管路部４２内に連通する第二の半円筒部４４とに、円筒部３２内を分割している。
【００３５】
円筒部３２の内径の大きさすなわち接続口３１の内径の大きさは、図示の例では、接続口３１内に開放する第一及び第二の各管路部４１，４２の流出口である第一及び第二の各半円開口３９，４０の面積が、それぞれ各案内路２４内に開放する第一及び第二の各管路部４１，４２の流入口４５の面積よりも小さくなるように、設定されている。
【００３６】
竪樋１６は、軒樋１４及び集水器１７と同様の樹脂材料からなる筒部材からなり、図１に示すように、住宅１１の外壁１１ａに沿って上下方向に伸びるように配置されている。竪樋１６の上端部１６ａは、前記したように集水器１７の円筒部３２に接続されており、竪樋１６の下端部１６ｂは、排水管１５に接続されている。
【００３７】
屋根１３から軒樋１４の上部空間２１内に流れ落ちた雨水は、各軒樋１４の隔壁２０に形成された流入孔２３を経て各案内路２４内に流入し、該各案内路内を集水器１７に向けて流れた後、第一及び第二の各管路部４１，４２の流入口４５を経て第一及び第二の各管路部４１，４２内に流入する。
【００３８】
このとき、前記したように、第一及び第二の各半円開口３９，４０の面積がそれぞれ第一及び第二の各管路部４１，４２の流入口４５の面積よりも小さいことから、第一及び第二の各管路部４１，４２内から第一及び第二の各半円開口３９，４０を経て第一及び第二の各半円筒部４３，４４内に流出する雨水の単位時間当たりの最大流出量は、各軒樋１４の上部空間２１内から各案内路２４内に流入する雨水の単位時間当たりの最大流入量すなわち各案内路２４から第一及び第二の各管路部４１，４２内に流入する雨水の単位時間当たりの最大流入量よりも少ない。
【００３９】
従って、第一及び第二の各管路部４１，４２内への単位時間当たりの流入量が第一及び第二の各管路部４１，４２からの単位時間当たりの最大流出量よりも少ない場合、第一及び第二の各管路部４１，４２内に流入した雨水は、該各管路部内に溜まることなく該各管路部内から第一及び第二の各半円開口３９，４０を経て第一及び第二の各半円筒部４３，４４内に流入し、その後、円筒部３２に接続された竪樋１６内を自然落下して該竪樋内から排水管１５内に排出される。
【００４０】
また、第一及び第二の各管路部４１，４２内への単位時間当たりの流入量が第一及び第二の各管路部４１，４２内への単位時間当たりの最大流入量よりも少なく且つ第一及び第二の各管路部４１，４２からの単位時間当たりの最大流出量よりも多い場合、各案内路２４内から第一及び第二の各管路部４１，４２内に流入した雨水の大部分は、各管路部４１，４２内から第一及び第二の各半円開口３９，４０を経て第一及び第二の各半円筒部４３，４４内に流出することなく各管路部４１，４２内に溜まる。すなわち、接続口３１内に開放する第一及び第二の各管路部４１，４２の開口が雨水により封鎖される。これにより、第一及び第二の各管路部４１，４２内及び各案内路２４内がそれぞれ満水状態におかれるので、各管路部４１，４２及び各案内路２４内がそれぞれ真空状態におかれる。従って、第一及び第二の各管路部４１，４２内及び各案内路２４内の雨水が重力により第一及び第二の各半円開口３９，４０を経て第一及び第二の各半円筒部４３，４４内に引き込まれたとき、各軒樋１４の前記上部空間２１内の雨水が各案内路２４及び各管路部４１，４２内の雨水に連行されて各案内路２４及び各管路部４１，４２内に引っ張られる。このようなサイフォン現象が生じることにより、各軒樋１４の前記上部空間２１内の雨水は、自然落下するときの流速よりも速い流速で竪樋１６内を排水管１５に向けて流下するので、雨水を自然落下させることにより排水管１５に排出する場合に比べて、単位時間当たりの排水量が増加する。
【００４１】
また、第一及び第二の各管路部４１，４２内への単位時間当たりの流入量が第一及び第二の各管路部４１，４２内への単位時間当たりの最大流入量を超えた場合、第一及び第二の各管路部４１，４２及び各案内路２４はそれぞれ前記したと同様に満水状態におかれる。これにより、前記したサイフォン現象が生じるので、各軒樋１４の前記上部空間２１内の雨水は、自然落下するときの流速よりも速い流速で竪樋１６内を排水管１５に向けて流下する。
【００４２】
本実施例によれば、前記したように、集水器１７内に設けられた集水路３６内に形成された第一の管路部４１と第二の管路部４２とが仕切り部材３８によって互いに仕切られていることから、第一の管路部４１は前記他方の軒樋１４の案内路２４に連通することなく前記一方の軒樋１４の案内路２４内に連通しており、第二の管路部４２は前記一方の軒樋１４の案内路２４に連通することなく前記他方の案内路２４内に連通している。
【００４３】
これにより、集水路３６内での第一及び第二の各管路部４１，４２間の通気が仕切り部材３８により妨げられるので、一方の案内路２４が満水状態であって他方の案内路２４が満水状態でない場合でも、前記一方の案内路２４内の雨水が第一の管路部４１内を経て接続口３１から竪樋１６内に流出するとき、前記他方の案内路２４内の空気が第一の管路部４１内に入ることが防止される。
【００４４】
従って、前記一方の案内路２４内及び第一の管路部４１内を真空に保持した状態で前記一方の案内路２４内の雨水を竪樋１６内に流出させることができるので、従来のような前記一方の案内路２４内の雨水から軒樋１４内の雨水への引張り力の低減を招くことなく、サイフォン作用を最大限に発揮させることができる。
【００４５】
また、前記したように、第一及び第二の各半円開口３９，４０の面積をそれぞれ第一及び第二の各管路部４１，４２の流入口４５の面積よりも小さくなるように設定することにより、各軒樋１４内から流入孔２３を経て各案内路２４内に流入する雨水の流入量が各案内路２４及び各管路部４１，４２の単位時間当たりの最大流量よりも少ない場合でも、その流入量が第一及び第二の各管路部４１，４２内からの最大流出量よりも多い場合には、第一及び第二の各管路部４１，４２内と各案内路２４内とにそれぞれ雨水を溜めることにより、各管路部４１，４２及び各案内路２４をそれぞれ容易に満水状態にすることができる。
【００４６】
従って、雨量が少ない場合でも、サイフォン現象を生じさせることができるので、雨量が少ない場合での排水効率を確実に向上させることができる。
【００４７】
本実施例では、第一及び第二の各半円開口３９，４０の面積をそれぞれ第一及び第二の各管路部４１，４２の流入口４５の面積よりも小さくなるように設定した例を示したが、これに代えて、第一及び第二の各半円開口３９，４０の面積と第一及び第二の各管路部４１，４２の流入口４５の面積とを等しくすることができる。この場合、各案内路２４内への単位時間当たりの流入量が各案内路２４及び第一及び第二の各管路部４１，４２内への単位時間当たりの最大流入量を超えたとき、前記したサイフォン現象を発生させることができる。
【００４８】
また、本実施例では、集水器１７内に隔壁３３を設けることにより集水路３６を形成し、該集水路内に板状の仕切り部材３８を設けることにより第一の管路部４１及び第二の管路部４２をそれぞれ形成した例を示したが、これに代えて、例えば図５に示すように、二つの管部材４６，４７をそれぞれ集水器１７内に配置し、各管部材４６，４７によって集水器１７内に第一及び第二の各管路部４１，４２を規定することができる。
【００４９】
図５に示す例では、各管部材４６，４７は、それぞれ集水器１７の長手方向に伸び且つそれぞれの軸線が互いにほぼ同一線上に位置するように、集水器１７の底壁２５上に配置されている。各管部材４６，４７の一端部４６ａ，４７ａはそれぞれ各軒樋１４の案内路２４に接続される。
【００５０】
各管部材４６，４７の他端部４６ｂ，４７ｂには、それぞれ該他端部に連なり、該他端部から底壁２５の接続口３１内を経て底壁２５の下方へ突出する半円筒状の筒部４８，４９が形成されている。
【００５１】
各筒部４８，４９は、それぞれ横断面が半円をなすように湾曲した板状の円弧部５０と、該円弧部の弦を構成する板状の平板部５１とを有する。各筒部４８，４９は、図６に示すように、それぞれ接続口３１内に挿入された状態で互いに協働して円筒を構成すべく各平板部５１が互いに対向するように、各管部材４６，４７に形成されている。
【００５２】
これにより、各管部材４６，４７は、それぞれ集水器１７内で互いに連通することなく各筒部４８，４９の平板部５１により仕切られる。すなわち、各筒部４８，４９の平板部５１は、一方の管部材４６により規定される第一の管路部４１と他方の管部材４７により規定される第二の管路部４２とを仕切る仕切り部材としての役割を担う。
【００５３】
この場合、図１乃至図４に示した円筒部３２を集水器１７から取り除き、各筒部４８，４９の外径を竪樋１６の内径とほぼ等しくなるように設定することにより、各筒部４８，４９で構成される円筒に竪樋１６の上端部１６ａを接続することができる。
【００５４】
また、図５及び図６に示す例において、各筒部４８，４９の開口面積を、各管部材４６，４７の開口面積よりも小さくなるように設定することができる。
【００５５】
図５及び図６に示す例に代えて、図示しないが、両端がそれぞれ各案内路２４に開放し且つ接続口３１で集水器１７の外方に開放し、集水路３６を規定する単一の管部材を集水器１７内に配置し、該管部材内に仕切り部材３８を設けることにより管部材内を第一の管路部４１及び第二の管路部４２に区画することができる。
【００５６】
図１乃至図６に示す例では、本発明に係る雨樋構造１０を住宅１１に適用した例を示したが、これに代えて、住宅１１以外の建物に本発明を適用することができる。
【図面の簡単な説明】
【００５７】
【図１】本発明に係る雨樋構造を概略的に示す側面図である。
【図２】本発明に係る集水器及び軒樋を概略的に示す斜視図である。
【図３】本発明に係る集水器に軒樋が接続された状態を概略的に示す縦断面図である。
【図４】本発明に係る円筒部内に仕切り部材が設けられた状態を概略的に示す底面図である。
【図５】図１乃至図４に示す例とは別の実施例に係る集水器に軒樋が接続された状態を概略的に示す縦断面図である。
【図６】図５に示す実施例に係る各筒部により円筒が形成された状態を概略的に示す底面図である。
【符号の説明】
【００５８】
１０  雨樋構造
１４  軒樋
１６  竪樋
１７  集水器
１８  底壁
２０  隔壁
２３  流入孔
２４  案内路
２７  接続端部
３１  接続口
３６  集水路
３８  仕切り部材
３９，４０  一方の開口（第一の半円開口及び第二の半円開口）
４１  第一の管路部
４２  第二の管路部
４５  他方の開口（流入口）
【図１】
2009062681.tif 000003
【図２】
2009062681.tif 000004
【図３】
2009062681.tif 000005
【図４】
2009062681.tif 000006
【図５】
2009062681.tif 000007
【図６】
2009062681.tif 000008